(57)【要約】【課題】エレベーターの利用状況や設置状況に応じて、エレベーター毎に最適なオプション商品を提案することができるようにする。【解決手段】エレベーターの利用状況や設置状況を検出するために必要な所定の信号を、信号記録部２に記録する。また、オプション判定部５は、信号記録部２に記録されている信号に基づいて、所定の提案条件が成立するか否かを判定し、提案条件が成立する場合に、その成立した提案条件に対応するオプション商品を、エレベーターのオーナー側に提案すべきものとして選定する。そして、オプション出力部６は、オプション判定部５によって選定されたオプション商品に関する情報を、所定の形式で出力させる。【選択図】図１
2011255983.tif 000002
【特許請求の範囲】
【請求項１】
エレベーターの利用状況や設置状況を検出するために必要な所定の信号を記録する信号記録部と、
前記信号記録部に記録されている信号に基づいて、所定の提案条件が成立するか否かを判定し、提案条件が成立する場合に、その成立した提案条件に対応するオプション商品を、エレベーターのオーナー側に提案すべきものとして選定するオプション判定部と、
前記オプション判定部によって選定されたオプション商品に関する情報を、所定の形式で出力させるオプション出力部と、
を備えたことを特徴とする保守オプション最適化装置。
【請求項２】
エレベーターの利用状況や設置状況を検出するために必要な所定の信号を記録する信号記録部と、
提供可能なエレベーターのオプション商品が所定の提案条件と関連付けて記憶されたオプション定義記憶部と、
前記信号記録部に記録されている信号に基づいて、前記オプション定義記憶部に記憶されている提案条件が成立するか否かを判定し、提案条件が成立する場合に、その成立した提案条件に対応するオプション商品を、エレベーターのオーナー側に提案すべきものとして選定するオプション判定部と、
前記オプション判定部によって選定されたオプション商品に関する情報を、所定の形式で出力させるオプション出力部と、
を備えたことを特徴とする保守オプション最適化装置。
【請求項３】
前記オプション判定部が行う判定の時期を管理するスケジュール管理部と、
を更に備え、
前記オプション定義記憶部には、判定時期の異なる複数のオプション商品とその提案条件とが記憶され、
前記オプション判定部は、前記オプション定義記憶部に記憶されているオプション商品毎に、前記スケジュール管理部が管理する判定時期に応じて提案条件が成立するか否かを判定する
ことを特徴とする請求項２に記載の保守オプション最適化装置。
【請求項４】
前記オプション判定部は、現在提供中のオプション商品については、エレベーターのオーナー側に提案すべきものとして選定しないことを特徴とする請求項１から請求項３の何れかに記載の保守オプション最適化装置。
【請求項５】
前記オプション出力部は、前記オプション判定部によって選定されたオプション商品を特定する情報を、前記信号記録部に記録された信号に基づく、その提案条件が成立した根拠とともに、所定の表示装置に表示させる、又は、提案書として出力させることを特徴とする請求項１から請求項４の何れかに記載の保守オプション最適化装置。
【請求項６】
エレベーターの利用状況や設置状況を検出するために必要な所定の信号を記録する信号記録部と、
前記信号記録部に記録されている信号に基づいて、所定の提案条件が成立するか否かを判定し、提案条件が成立する場合に、その提案条件に対応するオプション商品を、エレベーターのオーナー側に提案すべきものとして選定するオプション判定部と、
所定の操作端末によって指定されたオプション商品が、前記オプション判定部によって選定されたオプション商品に含まれている場合に、前記指定されたオプション商品が有効である旨を、所定の形式で出力させる判定出力部と、
を備えたことを特徴とする保守オプション最適化装置。
【発明の詳細な説明】
【技術分野】
【０００１】
この発明は、既設エレベーターのオーナー等に最適なオプション商品を提案できる保守オプション最適化装置に関するものである。
【背景技術】
【０００２】
エレベーターの保守契約には、様々なオプション商品が存在する。なお、このオプション商品には、安全装置や防災装置、防犯装置等の製品の他、各種サービスが含まれる。
【０００３】
従来、エレベーターのオーナーやビルの管理会社・管理組合等がオプション商品の導入を検討する場合は、エレベーターの保守会社に所定の要求を行うことにより、オプション商品の一覧表を入手し、必要なオプション商品の検討を行っていた（例えば、特許文献１参照）。
【先行技術文献】
【特許文献】
【０００４】
【特許文献１】特開２００７−７０００１号公報
【発明の概要】
【発明が解決しようとする課題】
【０００５】
オプション商品には、様々な製品やサービスが存在する。このため、エレベーターのオーナー等は、オプション商品の一覧表を見ても、どの商品、或いはどの商品の組み合わせが自分のエレベーターに適しているのかといった判断を正確に行うことはできなかった。
【０００６】
また、エレベーターの保守会社側も、管理しているエレベーター毎に、最適なオプション商品やその組み合わせを見出すことは困難であった。このため、保守会社としても、エレベーターのオーナー等に対し、訴求力のあるオプション商品の提案を行うことはできなかった。
【０００７】
この発明は、上述のような課題を解決するためになされたもので、その目的は、エレベーターの利用状況や設置状況に応じて、エレベーター毎に最適なオプション商品を提案することができる保守オプション最適化装置を提供することである。
【課題を解決するための手段】
【０００８】
この発明に係る保守オプション最適化装置は、エレベーターの利用状況や設置状況を検出するために必要な所定の信号を記録する信号記録部と、信号記録部に記録されている信号に基づいて、所定の提案条件が成立するか否かを判定し、提案条件が成立する場合に、その成立した提案条件に対応するオプション商品を、エレベーターのオーナー側に提案すべきものとして選定するオプション判定部と、オプション判定部によって選定されたオプション商品に関する情報を、所定の形式で出力させるオプション出力部と、を備えたものである。
【０００９】
また、この発明に係る保守オプション最適化装置は、エレベーターの利用状況や設置状況を検出するために必要な所定の信号を記録する信号記録部と、提供可能なエレベーターのオプション商品が所定の提案条件と関連付けて記憶されたオプション定義記憶部と、信号記録部に記録されている信号に基づいて、オプション定義記憶部に記憶されている提案条件が成立するか否かを判定し、提案条件が成立する場合に、その成立した提案条件に対応するオプション商品を、エレベーターのオーナー側に提案すべきものとして選定するオプション判定部と、オプション判定部によって選定されたオプション商品に関する情報を、所定の形式で出力させるオプション出力部と、を備えたものである。
【００１０】
また、この発明に係る保守オプション最適化装置は、エレベーターの利用状況や設置状況を検出するために必要な所定の信号を記録する信号記録部と、信号記録部に記録されている信号に基づいて、所定の提案条件が成立するか否かを判定し、提案条件が成立する場合に、その提案条件に対応するオプション商品を、エレベーターのオーナー側に提案すべきものとして選定するオプション判定部と、所定の操作端末によって指定されたオプション商品が、オプション判定部によって選定されたオプション商品に含まれている場合に、指定されたオプション商品が有効である旨を、所定の形式で出力させる判定出力部と、を備えたものである。
【発明の効果】
【００１１】
この発明に係る保守オプション最適化装置であれば、エレベーターの利用状況や設置状況に応じて、エレベーター毎に最適なオプション商品を提案することができるようになる。
【図面の簡単な説明】
【００１２】
【図１】この発明の実施の形態１における保守オプション最適化装置を示す構成図である。
【図２】図１に示す保守オプション最適化装置の要部構成図である。
【図３】この発明の実施の形態１における保守オプション最適化装置の動作を示すフローチャートである。
【図４】オプション商品の提案例を説明するための図である。
【図５】オプション商品の他の提案例を説明するための図である。
【図６】この発明の実施の形態２における保守オプション最適化装置を示す構成図である。
【図７】この発明の実施の形態３における保守オプション最適化装置を示す構成図である。
【図８】この発明の実施の形態４における保守オプション最適化装置を示す構成図である。
【発明を実施するための形態】
【００１３】
この発明をより詳細に説明するため、添付の図面に従ってこれを説明する。なお、各図中、同一又は相当する部分には同一の符号を付しており、その重複説明は適宜に簡略化ないし省略する。
【００１４】
実施の形態１．
図１はこの発明の実施の形態１における保守オプション最適化装置を示す構成図、図２は図１に示す保守オプション最適化装置の要部構成図である。
【００１５】
図１及び図２において、１は本願発明の要部を構成する最適化装置である。最適化装置１は、エレベーターの保守会社が管理するものであり、エレベーターの利用状況や設置状況に応じて、最適なオプション商品（製品・サービス）やその組み合わせを選択し、出力する機能を備えている。
なお、以下においては、エレベーターのオーナーやビルの管理会社・管理組合といったオプション商品を導入（購入）する側（者）のことを、単に「オーナー側」という。
【００１６】
具体的に、最適化装置１は、信号記録部２、スケジュール管理部３、オプション定義テーブル４（オプション定義記憶部）、オプション判定部５、オプション出力部６により、その要部が構成されている。
【００１７】
信号記録部２は、エレベーターの利用状況や設置状況を検出するために必要な各種信号を記録する機能を有している。最適化装置１には、エレベーターの運行制御を司る制御装置７や、エレベーターのかご内を撮影するカメラ８、臭いセンサ等の各種センサ９等が接続されている。信号記録部２は、最適化装置１が受信した信号、例えば、制御装置７からの制御信号や、カメラ８からの映像信号、センサ９からのセンサ信号をその内部に記録する。
【００１８】
スケジュール管理部３は、最適なオプション商品を選択するための判定スケジュールを管理する機能を有している。下記表１は、スケジュール管理部３に記憶されているスケジュール管理テーブルの例を示したものである。
【００１９】
【表１】
2011255983.tif 000003
【００２０】
表１に示すように、スケジュール管理部３には、所定のパターン番号、後述のオプション判定部５が判定を行う時期（判定時期）、その判定に用いるデータの範囲が関連付けて記憶されている。そして、スケジュール管理部３は、この記憶内容に基づいて判定時期の管理を行う。例えば、スケジュール管理部３は、毎日午前０時になると、パターン番号「２」の情報とともに、直前１日分のデータによって所定の判定を行う旨の指令をオプション判定部５に対して出力する。
【００２１】
オプション定義テーブル４には、エレベーターの保守会社から提供可能なオプション商品が、所定の提案条件と関連付けて記憶されている。下記表２は、オプション定義テーブル４の具体例を示したものである。
【００２２】
【表２】
2011255983.tif 000004
【００２３】
表２に示すように、オプション定義テーブル４には、提供可能な各オプション商品について、パターン番号、エレベーターの状態、画像処理内容、信号処理内容、提案条件が関連付けて記憶されている。なお、表２において、画像処理内容は、カメラ８からの映像信号に基づいて行う画像処理の内容を表している。また、信号処理内容は、映像信号以外の信号（本実施の形態においては、制御信号及びセンサ信号）に基づいて行う信号処理の内容を表している。
【００２４】
オプション判定部５は、エレベーターの利用状況や設置状況に応じたオプション商品の選定を行う機能を有している。
具体的に、オプション判定部５は、信号記録部２に記録されている各種信号に基づいて、オプション定義テーブル４に記憶されている提案条件が成立するか否かを判定する。そして、オプション判定部５は、提案条件が成立する場合に、その成立した提案条件に対応するオプション商品を、エレベーターのオーナー側に提案すべきものとして選定する。
【００２５】
なお、表２に示すように、オプション定義テーブル４に、判定時期の異なる複数のオプション商品が記憶されている場合、オプション判定部５は、その記憶されているオプション商品毎に、スケジュール管理部３が管理する判定時期に応じてその提案条件が成立するか否かを判定する。
【００２６】
上記機能を実現するため、オプション判定部５には、例えば、画像処理部１０、信号処理部１１、オプション選定部１２が備えられている。
【００２７】
画像処理部１０は、カメラ８からの映像信号を処理する機能を有している。即ち、画像処理部１０は、スケジュール管理部３に設定されている判定時期と判定に用いるデータ範囲とに基づいて、信号記録部２に記録されている映像信号について、オプション定義テーブル４に定められた画像処理内容を実施する。
【００２８】
例えば、スケジュール管理部３に表１に示す内容が、オプション定義テーブル４に表２に示す内容が記憶されている場合、画像処理部１０は、日曜日の午前０時にスケジュール管理部３からパターン番号「１」を含む指令が入力されても、映像信号の解析処理は行わない。一方、画像処理部１０は、午前０時にスケジュール管理部３からパターン番号「２」を含む指令が入力されると、信号記録部２に記録された直前１日分の映像信号を解析して、かご内人数のカウントを行う。そして、その処理内容をオプション選定部１２に対して出力する。
【００２９】
信号処理部１１は、制御装置７から受信した制御信号やセンサ９から受信したセンサ信号を処理する機能を有している。即ち、信号処理部１１は、スケジュール管理部３に設定されている判定時期と判定に用いるデータ範囲とに基づいて、信号記録部２に記録されている映像信号以外の信号について、オプション定義テーブル４に定められた信号処理内容を実施する。
【００３０】
例えば、最適化装置１に表１及び表２に示す内容が予め設定されている場合、信号処理部１１は、日曜日の午前０時にスケジュール管理部３からパターン番号「１」を含む指令が入力されると、信号記録部２に記録された直前１週間分のセンサ信号を解析して、臭いセンサ値の累積を行う。そして、その処理内容をオプション選定部１２に対して出力する。また、信号処理部１１は、午前０時にスケジュール管理部３からパターン番号「２」を含む指令が入力されると、信号記録部２に記録された直前１日分の制御信号を解析し、複数かご呼び回数のカウントと同一方向重複乗場呼び回数のカウントとを行って、その処理内容をオプション選定部１２に対して出力する。
【００３１】
オプション選定部１２は、オーナー側に提案すべきオプション商品を選定する機能を有している。具体的に、オプション選定部１２は、各処理部１０及び１１の処理結果と対応の閾値とを比較することにより、オプション定義テーブル４に設定されている提案条件が成立するか否かを判定し、オーナー側に提案すべきオプション商品を特定する。
【００３２】
例えば、最適化装置１に表１及び表２に示す内容が予め設定されている場合、オプション選定部１２は、画像処理部１０からカウントされたかご内人数の情報が入力されると、その入力情報に基づいて、かご内で複数人が乗り合いになった時間の算出を行う。そして、その算出した時間と所定の閾値とを比較することにより、複数人乗り合い時間が閾値以上となった場合に、オーナー側に提案すべきオプション商品（保守オプション）として空気清浄サービスを選定する。
【００３３】
また、オプション選定部１２は、信号処理部１１から臭いセンサ値の累積値が入力されると、その累積値と所定の閾値との比較を行う。そして、オプション選定部１２は、累積値が閾値以上となった場合に、オーナー側に提案すべきオプション商品としてリラクゼーションサービスを選定する。
【００３４】
また、オプション選定部１２は、カウントされた複数かご呼び回数や同一方向の重複乗場呼び回数の情報が信号処理部１１から入力されると、その入力情報に基づいて、かご内で複数人が乗り合いになった時間等の算出を行う。そして、オプション選定部１２は、かご内での複数人乗り合い時間が所定の閾値以上になったり、同一方向の重複乗場呼び回数が所定の閾値以上になったりした場合に、オーナー側に提案すべきオプション商品としてリラクゼーションサービスを選定する。
【００３５】
オプション出力部６は、オプション判定部５によってエレベーターのオーナー側に提案すべきと選定されたオプション商品に関する情報を、所定の形式で出力する機能を有している。例えば、オプション出力部６は、オーナー側に提案すべきオプション商品に関する情報を、所定の表示装置１３に表示させたり、提案書１４として出力させたりする。
【００３６】
次に、図３乃至図５も参照し、上記構成を有する保守オプション最適化装置の動作について具体的に説明する。なお、図３はこの発明の実施の形態１における保守オプション最適化装置の動作を示すフローチャートであり、上記最適化装置１の具体的な処理フローを示している。
【００３７】
最適化装置１では、制御装置７やカメラ８、センサ９からそれぞれ制御信号、映像信号、センサ信号を取得すると、その取得した情報を信号記録部２に記録する（Ｓ１０１、Ｓ１０２）。
【００３８】
また、最適化装置１では、スケジュール管理部３から所定の指令が出力されることにより、オプション判定部５が、判定を実施すべき時期である旨の検出を行う（Ｓ１０３のＹｅｓ）。
なお、最適化装置１に表１及び表２に示す内容が予め設定されている場合、オプション判定部５は、戸閉装置（図示せず）からの状態信号が入力されることにより、パターン番号「Ｎ」についての判定実施時期を検出する。
【００３９】
オプション判定部５は、上記実施時期の検出を行うと、対応の提案条件が成立するか否かを判定して、オーナー側に提案できるオプション商品の検索を行う（Ｓ１０４）。そして、オプション判定部５は、この検索によって提案可能なオプション商品を特定すると（Ｓ１０５のＹｅｓ）、その特定した内容をオプション出力部６に送信して、表示装置１３に表示させたり、提案書１４として出力させたりする（Ｓ１０６）。
【００４０】
なお、オーナー側に現在提供中のオプション商品については、提案条件が成立する場合であっても、オーナー側に提案すべきものとして選定しなくても良い。かかる場合、例えば、オプション判定部５は、オーナー側に現在提供中のオプション商品については、Ｓ１０５においてＮｏの判定を行う。
【００４１】
また、図４はオプション商品の提案例を説明するための図であり、Ｓ１０６の処理によって表示装置１３に表示された画面例を示している。
オプション出力部６は、Ｓ１０６において、例えば、オーナー側に勧めるオプション商品名（オプション判定部５によって選定されたオプション商品を特定する情報）や、そのオプション商品を勧める根拠（提案条件が成立した根拠）を表示装置１３に表示させる。図４に示す例では、推奨するオプション商品名とともに、オプション商品を勧める根拠として、提案条件が成立した時の実機データ、例えば、信号記録部２に記録された、提案条件成立時の映像信号や制御信号、センサ信号を表示装置１３に表示させている。
【００４２】
また、図５はオプション商品の他の提案例を説明するための図であり、Ｓ１０６の処理によって出力された提案書１４の例を示している。図５に示す例では、オーナー側に勧めるオプション商品名を提案書１４に複数列挙し、オプション商品毎に、そのオプション商品を勧める根拠を記載している。また、信号記録部２に記録されている信号を用いて所定のグラフを作成し、そのグラフを、信号記録部２に記録された映像信号とともに、オプション商品を勧める根拠として出力している。
【００４３】
この発明の実施の形態１によれば、エレベーターの利用状況や設置状況に応じて、エレベーター毎に最適なオプション商品を提案することができる。
即ち、本保守オプション最適化装置であれば、エレベーターの利用状況や設置状況を細かく解析し且つ把握した上で、最適なオプション商品或いはその組み合わせを見出すことができる。また、オプション商品の選定を実機データに基づいて行っているため、訴求力のある提案が可能となる。特に、実機データ（或いは、実機データを用いたグラフ等の資料）を表示装置１３に表示したり、提案書１４に記載したりする場合は、オーナー側もその提案を容易に理解することができ、オーナー側及び保守会社側の双方に好適である。
【００４４】
また、実機データをある程度の期間に渡る統計的データとして解析することもでき、オプション商品の誤判定も防止できる。このため、オーナー側に対し、オプション変更の提案を頻繁に行ってしまうようなことも防止できるようになる。
更に、スケジュール管理部３の管理機能によって提案書１４等の作成を自動的に実施すれば、エレベーター保守員の負担も大幅に軽減させることが可能となる。
【００４５】
実施の形態２．
図６はこの発明の実施の形態２における保守オプション最適化装置を示す構成図である。図６において、１５はビルに備えられたセキュリティシステム、１６はビルに備えられたその他のシステムである。
【００４６】
最適化装置１には、制御装置７、カメラ８、センサ９に加え、上記セキュリティシステム１５やその他のシステム１６が接続されている。信号記録部２は、制御装置７、カメラ８、センサ９からの各信号に加え、最適化装置１が受信したセキュリティシステム１５やその他のシステム１６からのシステム信号を、その内部に記録する。また、オプション定義テーブル４には、上記システム信号に関する信号処理内容や提案条件等が追加される。そして、オプション判定部５は、システム信号も考慮した判定も行い、オーナー側に提案すべきオプション商品を選定する。
【００４７】
上記構成によれば、ビルに備えられた各種システムからのシステム信号も利用することができ、例えば、防犯装置等のオプション商品を、そのビルの状況等に合わせて適切に選択することができるようになる。
その他は、実施の形態１と同様の構成及び機能を有している。
【００４８】
実施の形態３．
図７はこの発明の実施の形態３における保守オプション最適化装置を示す構成図である。図７において、１７は最適化装置１に対して所定の要求を出力するための操作端末である。実施の形態１及び２においては、オプション判定部５が判定を行う時期を、スケジュール管理部３によって自動的に管理する場合について説明した。本実施の形態においては、オプション判定部５による判定を、任意のタイミングで行わせる場合について説明する。
【００４９】
操作端末１７は、オプション判定部５に、エレベーターの利用状況や設置状況に応じたオプション商品の選定を行わせるための要求（オプション判定実施要求）を出力する機能を有している。即ち、オプション判定部５は、操作端末１７からオプション判定実施要求を受信することにより、所定の画像処理や信号処理を開始し、提案条件が成立したか否かの判定を行う。
【００５０】
かかる構成を有することにより、オーナー側に提案すべきオプション商品の選定を、任意のタイミングで行うことができるようになる。なお、図７にはスケジュール管理部３が記載されていないが、スケジュール管理部３と操作端末１７との双方が備えられていても、上記と同様の効果を奏することは可能である。
その他は、実施の形態１及び２と同様の構成及び機能を有している。
【００５１】
実施の形態４．
図８はこの発明の実施の形態４における保守オプション最適化装置を示す構成図である。図８において、１８は最適化装置１に対して所定の要求を出力するための操作端末である。操作端末１８は、オプション商品を指定し、最適化装置１に、その指定したオプション商品の有効性を判定させるための要求（オプション有効判定要求）を出力する機能を有している。なお、上記機能を実現するため、最適化装置１には、オプション出力部６に代えて、判定出力部１９が備えられている。
【００５２】
最適化装置１では、操作端末１８からオプション有効判定要求を受信することにより、オプション判定部５が、オプション定義テーブル４に登録されている各オプション商品（或いは、所定のオプション商品）について、提案条件が成立するか否かの判定を行う。判定出力部１９は、オプション判定部５によってオプション商品の選定が行われると、操作端末１８によって指定されたオプション商品が、その選定されたオプション商品の中に含まれているか否かを判定する。そして、判定出力部１９は、上記指定されたオプション商品が含まれている場合は、その指定されたオプション商品の有効性を外部に出力する。即ち、判定出力部１９は、操作端末１８によって指定されたオプション商品が、オプション判定部５が選定したオプション商品の何れかと一致すれば、その指定されたオプション商品が有効である旨の情報を表示装置１３に表示させたり、提案書１４として出力させたりする。
【００５３】
かかる構成を有することにより、指定したオプション商品が、現在のエレベーターに有効かどうか、即ち、エレベーターの利用状況や設置状況に合っているかどうかを知ることができ、オプション商品の導入時等に、その必要性を容易に判断することが可能となる。
その他は、実施の形態１乃至３と同様の構成及び機能を有している。
【符号の説明】
【００５４】
１  最適化装置
２  信号記録部
３  スケジュール管理部
４  オプション定義テーブル
５  オプション判定部
６  オプション出力部
７  制御装置
８  カメラ
９  センサ
１０  画像処理部
１１  信号処理部
１２  オプション選定部
１３  表示装置
１４  提案書
１５  セキュリティシステム
１６  その他のシステム
１７、１８  操作端末
１９  判定出力部
【図１】
2011255983.tif 000005
【図２】
2011255983.tif 000006
【図３】
2011255983.tif 000007
【図４】
2011255983.tif 000008
【図５】
2011255983.tif 000009
【図６】
2011255983.tif 000010
【図７】
2011255983.tif 000011
【図８】
2011255983.tif 000012